(57)【要約】      （修正有）【課題】パレット部材の強度や剛性が向上することができ、従って、フォークの挿入空間を確保しつつ、パレット部材の厚さをより薄くする。【解決手段】パレット部材が、上部パレット部１Ａと下部パレット部とから構成され、上部パレット部１Ａには、高部土手部側半体１ａ１に沿って補強部材嵌合凹部Ｃ１が形成されているとともに、下部パレット部のうち、中間桁内にも、中間桁の長手方向に沿って補強部材嵌合凹部が形成され、前記補強部材嵌合凹部に、それぞれ、補強部材を嵌合した後、上部パレット部の下面と下部パレット部の上面とを溶着することにより、パレット部材を形成した。【選択図】図８
2014162554.tif 000002
【特許請求の範囲】
【請求項１】
相対する高部土手部と相対する低部土手部とを有するパレット部材と、相対する高部土手部に配置される引き抜き側壁部材と、相対する低部土手部に配置されるヒンジ連結側壁部材とからなるボックスパレットにおいて、パレット部材が、上部パレット部と下部パレット部とから構成されており、上部パレット部には、高部土手部側半体に沿って補強部材嵌合凹部が形成されているとともに、下部パレット部のうち、中間桁内にも、中間桁の長手方向に沿って補強部材嵌合凹部が形成されており、前記補強部材嵌合凹部に、それぞれ、補強部材を嵌合した後、上部パレット部の下面と下部パレット部の上面とを溶着することにより、上部パレット部と下部パレット部とを一体化し、パレット部材が形成されていることを特徴とするボックスパレット。
【請求項２】
上部パレット部の低部土手部側半体に沿って形成された補強部材嵌合凹部に補強部材を嵌合した後、上部パレット部の下面と下部パレット部の上面とを溶着することにより、上部パレット部と下部パレット部とを一体化し、パレット部材が形成されていることを特徴とする請求項１に記載のボックスパレット。
【発明の詳細な説明】
【技術分野】
【０００１】
本発明は、相対する高部土手部、相対する低部土手部及びフォーク挿入口が形成されているパレット部材と、相対する高部土手部に上方に引き抜き可能に配設された側壁部材と、相対する低部土手部にヒンジ連結された側壁部材とからなり、高部土手部に、略垂直に立てられた状態の側壁部材を、上方に引き抜き、次いで、低部土手部にヒンジ連結された略垂直な側壁部材を、パレット部材に重なるように倒し、その後、パレット部材に重なるように倒された側壁部材を覆うように、引き抜かれた側壁部材を重ねるように構成されたボックスパレットに関するものである。
【背景技術】
【０００２】
上述した構成を有するボックスパレットは、一例として、特許文献１に開示されている。
【先行技術文献】
【特許文献】
【０００３】
【特許文献１】特開２０１２−１９２９３８号公報
【発明の概要】
【発明が解決しようとする課題】
【０００４】
従来、折り畳んだ状態におけるボックスパレットの保管効率を高めるために、パレット部材の高さを、可能な限り低くすることが求められているが、パレット部材の高さを低くすると、パレット部材の強度や剛性が低下するという問題があった。
【０００５】
本発明の目的は、パレット部材の強度や剛性が低下することなく、パレット部材の高さを低くすることが可能なボックスパレットを提供することにある。
【課題を解決するための手段】
【０００６】
本発明は、上述した目的を達成するために、相対する高部土手部と相対する低部土手部とを有するパレット部材と、相対する高部土手部に配置される引き抜き側壁部材と、相対する低部土手部に配置されるヒンジ連結側壁部材とからなるボックスパレットにおいて、第１には、パレット部材が、上部パレット部と下部パレット部とから構成されており、上部パレット部には、高部土手部側半体に沿って補強部材嵌合凹部が形成されているとともに、下部パレット部のうち、中間桁内にも、中間桁の長手方向に沿って補強部材嵌合凹部が形成されており、前記補強部材嵌合凹部に、それぞれ、補強部材を嵌合した後、上部パレット部の下面と下部パレット部の上面とを溶着することにより、上部パレット部と下部パレット部とを一体化し、パレット部材を形成したものであり、第２には、上部パレット部の低部土手部側半体に沿って形成された補強部材嵌合凹部に補強部材を嵌合した後、上部パレット部の下面と下部パレット部の上面とを溶着することにより、上部パレット部と下部パレット部とを一体化し、パレット部材を形成したものである。
【発明の効果】
【０００７】
相対する高部土手部と相対する低部土手部とを有するパレット部材と、相対する高部土手部に配置される引き抜き側壁部材と、相対する低部土手部に配置されるヒンジ連結側壁部材とからなるボックスパレットにおいて、第１には、パレット部材が、上部パレット部と下部パレット部とから構成されており、上部パレット部には、高部土手部側半体に沿って補強部材嵌合凹部が形成されているとともに、下部パレット部のうち、中間桁内にも、中間桁の長手方向に沿って補強部材嵌合凹部が形成されており、前記補強部材嵌合凹部に、それぞれ、補強部材を嵌合した後、上部パレット部の下面と下部パレット部の上面とを溶着することにより、上部パレット部と下部パレット部とを一体化し、パレット部材を形成したので、パレット部材の強度や剛性が向上することになる。従って、フォークの挿入空間を確保しつつ、パレット部材の厚さをより薄くすることができ、ひいては、折り畳んだ状態におけるボックスパレットの保管効率を更に高めることができる。
【０００８】
また、上述したように、パレット部材の高部土手部には、補強部材が配設されているので、ボックスパレットを、フォーク挿入口に挿入されたフォークにより持ち上げる際に、パレット部材の撓みを抑制することができる。
【０００９】
上部パレット部の低部土手部側半体に沿って形成された補強部材嵌合凹部に補強部材を嵌合した後、上部パレット部の下面と下部パレット部の上面とを溶着することにより、上部パレット部と下部パレット部とを一体化し、パレット部材を形成したので、パレット部材の強度や剛性が更に向上することになる。従って、フォークの挿入空間を確保しつつ、パレット部材の厚さをより薄くすることができ、ひいては、折り畳んだ状態におけるボックスパレットの保管効率をなお更に高めることができる。
【図面の簡単な説明】
【００１０】
【図１】図１は、本発明のボックスパレットの斜視図である。
【図２】図２は、本発明のボックスパレットを構成するパレット部材の斜視図である。
【図３】図３は、本発明のボックスパレットが折り畳まれた状態の斜視図である。
【図４】図４は、本発明のボックスパレットを構成するパレット部材の分解斜視図である。
【図５】図５は、本発明のボックスパレットを構成するパレット部材の上部パレット部の斜視図である。
【図６】図６は、本発明のボックスパレットを構成するパレット部材の下部パレット部の斜視図である。
【図７】図７は、本発明のボックスパレットを構成するパレット部材の分解斜視図である。
【図８】図８は、本発明のボックスパレットを構成するパレット部材の上部パレット部に配設される補強部材と一部切り欠き部分を含む上部パレット部との分解斜視図である。
【図９】図９は、本発明のボックスパレットを構成するパレット部材の上部パレット部に配設される補強部材と垂直断面を含む上部パレット部との部分拡大分解斜視図である。
【図１０】図１０は、本発明のボックスパレットを構成するパレット部材の上部パレット部に補強部材が配設された状態の一部切り欠き部分を含む上部パレット部の斜視図である。
【図１１】図１１は、本発明のボックスパレットを構成するパレット部材の上部パレット部に配設される補強部材と上部パレット部との分解斜視図である。
【図１２】図１２は、本発明のボックスパレットを構成するパレット部材の上部パレット部に補強部材が配設された状態の垂直断面を含む上部パレット部の部分拡大斜視図である。
【図１３】図１３は、本発明のボックスパレットを構成するパレット部材の下部パレット部の補強部材を含む分解斜視図である。
【図１４】図１４、本発明のボックスパレットを構成するパレット部材の下部パレット部に補強部材が配設された状態の、部分垂直断面を含む斜視図である。
【実施例】
【００１１】
以下に、本発明の実施例について説明するが、本発明の趣旨を越えない限り、何ら、本発明の実施例に限定されるものではない。
【００１２】
図１において、Ｂは、ボックスパレットであり、ボックスパレットＢは、パレット部材１と、相対する一方の側壁部材２と、相対するもう一方の側壁部材３とから構成されている。
【００１３】
図１及び図２に示されているように、パレット部材１は、パレット部材１の相対する一方の辺部に形成された土手部１ａと、パレット部材１の相対するもう一方の辺部に形成された土手部１ｂとを有しているとともに、相対する一方の辺部に形成された土手部１ａは、相対するもう一方の辺部に形成された土手部１ｂより高く形成されている。以下、相対する一方の辺部に形成された土手部１ａを、高部土手部と称し、また、高部土手部１ａより低い、相対するもう一方の辺部に形成された土手部１ｂを、以下、低部土手部と称する。
【００１４】
パレット部材１の裏面１ｃの相対する辺部には、低部土手部１ｂに沿って、側部桁１ｄが形成されており、また、相対する側部桁１ｄの中間部には、側部桁１ｄに略平行な中間桁１ｅが形成されており、裏面１ｃと側部桁１ｄと中間桁１ｅとにより、２本のフォーク挿入口１ｆが形成されている。このように、本発明のボックスパレットＢは、所謂、２方差しのボックスパレットＢとして構成されており、勿論、所謂、４方差しのボックスパレットＢとして構成することもできる。
【００１５】
相対する一方の側壁部材２と相対するもう一方の側壁部材３とが、共に、略垂直に立てられた状態から、特許文献１に開示されているように、一方の側壁部材２を、高部土手部１ａから上方に引き抜き、次いで、低部土手部１ｂにヒンジ連結されたもう一方の側壁部材３を、パレット部材１に重なるように倒し、その後、引き抜かれた相対する一方の側壁部材２を、パレット部材１に重ねられた相対するもう一方の側壁部材３に重ねることにより、図１に示されている箱型に組み立てられたボックスパレットＢを、図３に示されているように、折り畳むことができるように構成されている。
【００１６】
なお、以下においては、箱型に組み立てられた状態のボックスパレットＢから引き抜かれる相対する一方の側壁部材２を、引き抜き側壁部材と称し、また、低部土手部１ｂにヒンジ連結されたもう一方の側壁部材３を、ヒンジ連結側壁部材と称する。
【００１７】
本発明においては、パレット部材１は、図４に示されているように、上部パレット部１Ａと下部パレット部１Ｂとからなり、上部パレット部１Ａと下部パレット部１Ｂとを融着することにより形成されている。
【００１８】
上部パレット部１Ａには、図４及び図５に示されているように、パレット部材１の高部土手部１ａを構成する高部土手部側半体１ａ１と、パレット部材１の低部土手部１ｂを構成する低部土手部側半体１ｂ１と、パレット部材１の物品載置板１ｃ１とが形成されている。
【００１９】
上述した高部土手部側半体１ａ１と低部土手部側半体１ｂ１と物品載置板１ｃ１とにより形成される空間部には、高部土手部側半体１ａ１に平行なリブ１ｇ１と高部土手部側半体１ａ１に垂直なリブ１ｇ２とからなるリブ構造部１ｇが形成されているとともに、上部パレット部１Ａの下面全体は、平坦面として形成されている。
【００２０】
下部パレット部１Ｂには、図４、図６及び図７に示されているように、下部パレット部１Ｂの裏面１ｃ２には、相対する低部土手部側半体１ｂ２に沿って、上述した側部桁１ｄが形成されており、また、相対する側部桁１ｄの中間部には、側部桁１ｄに略平行な中間桁１ｅが形成されている。そして、側部桁１ｄと中間桁１ｅと裏面１ｃ２とにより、２本の下方が全面開口されたフォーク挿入口１ｆが形成されている。また、相対する低部土手部側半体１ｂ２と、低部土手部側半体１ｂ対して垂直なフォーク挿入口１ｆ側の相対する垂直縁部１ａ２と、側部桁１ｄと、中間桁１ｅと、下部パレット部１Ｂの裏面１ｃ２とにより形成される空間部には、低部土手部側半体１ｂ２に平行なリブ１ｉ１と低部土手部側半体１ｂ２に垂直なリブ１ｉ２とからなるリブ構造部１ｉが形成されているとともに、下部パレット部１Ｂの上面全体は、平坦面として形成されている。
【００２１】
本発明においては、図８及び図９に示されているように、上部パレット部１Ａのリブ構造部１ｇを形成するリブ１ｇ１、１ｇ２のうち、高部土手部側半体１ａ１付近に位置する部分を、高部土手部側半体１ａ１に沿って、且つ、物品載置板１ｃ１方向に削除することにより、上部パレット部１Ａのリブ構造部１ｇには、高部土手部側半体１ａ１に沿って、高部土手部側半体１ａ１付近に位置する補強部材嵌合凹部Ｃ１が、高部土手部側半体１ａ１の略全長に亘たって形成されている。
【００２２】
図８及び図９に示されているＨ１は、角筒状の補強部材であり、金属や炭素繊維等で形成された高強度材により形成されている。このような補強部材Ｈ１を、図１０に示されているように、上部パレット部１Ａの高部土手部側半体１ａ１に沿って形成された補強部材嵌合凹部Ｃ１に嵌合し、その後、上部パレット部１Ａの平坦な下面と下部パレット部１Ｂの平坦な上面とを、上部パレット部１Ａのリブ構造部１ｇを形成するリブ１ｇ１、１ｇ２と下部パレット部１Ｂのリブ構造部１ｉを形成するリブ１ｉ１、１ｉ２の先端同士が溶着するように一体化することにより、パレット部材１が製造されることになる。
【００２３】
上述したように、上部パレット部１Ａの高部土手部側半体１ａ１に沿って形成された補強部材嵌合凹部Ｃ１に、補強部材Ｈ１を嵌合し、その後、上部パレット部１Ａの平坦な下面と下部パレット部１Ｂの平坦な上面とを、上部パレット部１Ａのリブ構造部１ｇを形成するリブ１ｇ１、１ｇ２と下部パレット部１Ｂのリブ構造部１ｉを形成するリブ１ｉ１、１ｉ２の先端同士が溶着するように一体化し、パレット部材１を形成するようにしたので、パレット部材１の強度や剛性が向上することになる。従って、フォークの挿入空間を確保しつつ、パレット部材１の厚さをより薄くすることができ、ひいては、折り畳んだ状態におけるボックスパレットＢの保管効率を更に高めることができる。
【００２４】
また、上述したように、パレット部材１の高部土手部１ａには、補強部材Ｈ１が配設されているので、ボックスパレットＢを、フォーク挿入口１ｆに挿入されたフォークにより持ち上げる際に、パレット部材１の撓みを抑制することができる。
【００２５】
更に、上述したように、リブ構造部１ｇを有する上部パレット部１Ａと同じくリブ構造部１ｉを有する下部パレット部１Ｂとを、上部パレット部１Ａのリブ構造部１ｇを形成するリブ１ｇ１、１ｇ２と下部パレット部１Ｂのリブ構造部１ｉを形成するリブ１ｉ１、１ｉ２の先端同士が溶着するように一体化することにより、パレット部材１が中空構造体として構成されているので、パレット部材１の強度や剛性が向上し、従って、パレット部材１の厚さを薄くすることができ、ひいては、折り畳んだ状態におけるボックスパレットＢの高さを低くすることがで、折り畳んだ状態におけるボックスパレットＢの保管効率を高めることができる。
【００２６】
更にまた、上述したように、下部パレット部１Ｂのみに、下方が全面開口されたフォーク挿入口１ｆが形成されているので、フォークの挿入空間を確保しつつ、パレット部材１の厚さを薄くすることができ、ひいては、折り畳んだ状態におけるボックスパレットＢの保管効率を更に高めることができる。
【００２７】
図１１及び図１２に示されている実施例は、上述した、上部パレット部１Ａの高部土手部側半体１ａ１に沿って形成された補強部材嵌合凹部Ｃ１と同様の補強部材嵌合凹部Ｃ２を、上部パレット部１Ａの低部土手部側半体１ｂ１に沿って、低部土手部側半体１ｂ１付近で、且つ、低部土手部側半体１ｂ１の略全長に亘たって形成したものである。このようにして形成された、低部土手部側半体１ｂ１付近に位置する補強部材嵌合凹部Ｃ２に、上述した補強部材Ｈ１と同様の補強部材Ｈ２を嵌合したものである。
【００２８】
上述したように、上部パレット部１Ａの高部土手部側半体１ａ１に沿って形成された補強部材嵌合凹部Ｃ１に、補強部材Ｈ１を嵌合するとともに、低部土手部側半体１ｂ１に沿って形成された補強部材嵌合凹部Ｃ２にも、補強部材Ｈ２を嵌合し、その後、上部パレット部１Ａと下部パレット部１Ｂとを融着することにより、パレット部材１を構成することにより、パレット部材１の強度や剛性が更に向上することになる。従って、フォークの挿入空間を確保しつつ、パレット部材１の厚さをより薄くすることができ、ひいては、折り畳んだ状態におけるボックスパレットＢの保管効率をなお更に高めることができる。
【００２９】
図１３及び図１４に示されている実施例は、下部パレット部１Ｂに形成されたリブ構造部１ｉのうち、中間桁１ｅ内に位置するリブ構造部１ｉを、中間桁１ｅの長手方向に沿って、且つ、中間桁１ｅの長手方向の略全長に亘たって、除去することにより、中間桁１ｅの幅方向中央部には、補強部材嵌合凹部Ｃ３を形成したものである。Ｈ３は、補強部材嵌合凹部Ｃ３に嵌合される角筒状の補強部材であり、金属や炭素繊維等の高強度材で形成されている。
【００３０】
上述したように、下部パレット部１Ｂに形成されたリブ構造部１ｉのうち、中間桁１ｅ内に位置するリブ構造部１ｉを、中間桁１ｅの長手方向に沿って、且つ、中間桁１ｅの長手方向の略全長に亘たって、除去することにより形成された補強部材嵌合凹部Ｃ３に、補強部材Ｈを嵌合した後、上部パレット部１Ａの平坦な下面と下部パレット部１Ｂの平坦な上面とを、上部パレット部１Ａのリブ構造部１ｇを形成するリブ１ｇ１、１ｇ２と下部パレット部１Ｂのリブ構造部１ｉを形成するリブ１ｉ１、１ｉ２の先端同士が溶着するように一体化することにより、パレット部材１が製造されることになる。
【００３１】
パレット部材１には、下部パレット部１Ｂに形成されたリブ構造部１ｉのうち、中間桁１ｅ内に位置するリブ構造部１ｉを、中間桁１ｅの長手方向に沿って、且つ、中間桁１ｅの長手方向の略全長に亘たって、除去することにより形成された補強部材嵌合凹部Ｃ３に、補強部材Ｈが配設されているので、パレット部材１の強度や剛性が向上し、従って、パレット部材１の厚さを薄くすることができ、ひいては、折り畳んだ状態におけるボックスパレットＢの高さを低くすることがで、折り畳んだ状態におけるボックスパレットＢの保管効率を高めることができる。
【符号の説明】
【００３２】
Ｂ・・・・・・・・・・・・ボックスパレット
Ｃ１、Ｃ２、Ｃ３・・・・・補強部材嵌合凹部
Ｈ１、Ｈ２、Ｈ３・・・・・補強部材
１・・・・・・・・・・・・パレット部材
１Ａ・・・・・・・・・・・上部パレット部
１Ｂ・・・・・・・・・・・下部パレット部
１ａ・・・・・・・・・・・高部土手部
１ｂ・・・・・・・・・・・低部土手部
１ｆ・・・・・・・・・・・フォーク挿入口
１ｇ、１ｉ・・・・・・・・リブ構造部
２・・・・・・・・・・・・引き抜き側壁部材
３・・・・・・・・・・・・ヒンジ連結側壁部材
【図１】
2014162554.tif 000003
【図２】
2014162554.tif 000004
【図３】
2014162554.tif 000005
【図４】
2014162554.tif 000006
【図５】
2014162554.tif 000007
【図６】
2014162554.tif 000008
【図７】
2014162554.tif 000009
【図８】
2014162554.tif 000010
【図９】
2014162554.tif 000011
【図１０】
2014162554.tif 000012
【図１１】
2014162554.tif 000013
【図１２】
2014162554.tif 000014
【図１３】
2014162554.tif 000015
【図１４】
2014162554.tif 000016